(57)【特許請求の範囲】
【請求項１】
上枠、下枠、左右の縦枠を有する枠体と、可動障子と、固定障子とを備え、浴室と脱衣室との出入り口に用いられる建具であって、
前記可動障子は、前記枠体の上枠および下枠に沿ってスライド移動可能に設けられ、
前記固定障子と前記上枠との間には、前記浴室と前記脱衣室とを連通させる換気経路と、前記換気経路を開閉する弁部材とが設けられ、
前記換気経路の一部は、前記固定障子と前記上枠との間において、前記可動障子が移動される空間で構成されている
ことを特徴とする建具。
【請求項２】
請求項１に記載の建具において、
前記固定障子は、上框、下框、左右の縦框にパネル材を取り付けて構成され、
前記上枠には、前記固定障子と前記左右の縦枠の一方の縦枠との間に配置される上枠アタッチメントが取り付けられ、
前記上枠は、前記上框および前記上枠アタッチメントの浴室側に配置された垂下片部を備え、
前記垂下片部と、前記上框および前記上枠アタッチメントによって前記可動障子を案内する溝状の上レール部が構成され、
前記換気経路の一部は、前記垂下片部および前記上框間の隙間で構成されている
ことを特徴とする建具。
【請求項３】
請求項１に記載の建具において、
前記固定障子は、上框、下框、左右の縦框にパネル材を取り付けて構成され、
前記上枠には、前記固定障子と前記左右の縦枠の一方の縦枠との間に配置される上枠アタッチメントが取り付けられ、
前記上枠は、前記上框および前記上枠アタッチメントの脱衣室側に配置された見付け片部を備え、
前記見付け片部と、前記上框および前記上枠アタッチメントによって前記可動障子を案内する溝状の上レール部が構成され、
前記換気経路の一部は、前記見付け片部および前記上框間の隙間で構成されている
ことを特徴とする建具。
【請求項４】
請求項１から請求項３のいずれか一項に記載の建具において、
前記固定障子は、上框、下框、左右の縦框にパネル材を取り付けて構成され、
前記上枠は、見込み片部と、前記見込み片部の脱衣室側端部から下方に延長された見付け片部とを備え、
前記見付け片部の下端縁は、前記上框の下面と同一高さ位置、または、前記上框の下面よりも下方の高さ位置に設定されている
ことを特徴とする建具。
【請求項５】
請求項１から請求項４のいずれか一項に記載の建具において、
前記固定障子は、上框、下框、左右の縦框にパネル材を取り付けて構成され、
前記上枠は、見込み片部と、前記見込み片部の浴室側端部から下方に延長された垂下片部を備え、
前記垂下片部の下端縁は、前記上框の下面と同一高さ位置、または、前記上框の下面よりも下方の高さ位置に設定され、
前記換気経路の一部は、前記垂下片部および前記上框間の隙間で構成され、前記換気経路の浴室側開口は下向きに形成されている
ことを特徴とする建具。
【請求項６】
請求項１から請求項５のいずれか一項に記載の建具において、
前記可動障子は、前記固定障子より浴室側の位置で、前記枠体の上枠および下枠に沿ってスライド移動可能に設けられ、
前記弁部材は、前記上枠に一端側が回動自在に支持され、他端側が前記固定障子に当接して、前記換気経路を開閉する
ことを特徴とする建具。
【発明の詳細な説明】
【技術分野】
【０００１】
本発明は、浴室と脱衣室との出入り口に用いられる換気機能付きの建具に関する。
【背景技術】
【０００２】
浴室出入り口用の建具として、建具枠と、この建具枠に開閉自在に支持された障子とを備え、上枠の内部に浴室と脱衣室とを連通させる換気経路が形成されたものが提案されている（例えば、特許文献１参照）。
この建具は、上枠および左右の縦枠を有する枠体に、可動可能に設けられた可動面材と、非可動状態で固定された固定面材とを設けた片引き戸タイプの建具である。
この建具では、上下に離間させた第１上枠および第２上枠の２つの上枠間に換気経路を形成し、下側の第２上枠にレールを形成して可動面材を案内していた。このため、前記特許文献１では、建具の見込み方向の位置において、換気経路が形成される位置では、第１上枠と、第１上枠の下方に配置された第２上枠と、第１上枠および第２上枠間に形成される換気経路を開閉する弁部材と、第２上枠で案内される可動面材とが上下方向に並んで配置されていた。
【先行技術文献】
【特許文献】
【０００３】
【特許文献１】特許第５４１９７８５号公報
【発明の概要】
【発明が解決しようとする課題】
【０００４】
しかしながら、前記建具の上枠部分では、第１上枠、換気経路（弁部材）、第２上枠、可動面材が上下に並んで配置されるため、建具の上枠部分の見付け寸法（上下寸法）が大きくなるという課題がある。
【０００５】
本発明の目的は、換気経路が形成される建具の上枠部分の見付け寸法を小さくできる建具を提供することにある。
【課題を解決するための手段】
【０００６】
本発明の建具は、上枠、下枠、左右の縦枠を有する枠体と、可動障子と、固定障子とを備え、浴室と脱衣室との出入り口に用いられる建具であって、前記可動障子は、前記枠体の上枠および下枠に沿ってスライド移動可能に設けられ、前記固定障子と前記上枠との間には、前記浴室と前記脱衣室とを連通させる換気経路と、前記換気経路を開閉する弁部材とが設けられ、前記換気経路の一部は、前記固定障子と前記上枠との間において、前記可動障子が移動される空間で構成されていることを特徴とする。
【０００７】
本発明によれば、建具の上枠と、固定障子との間に換気経路を形成しているので、建具の上枠部分の見付け寸法（上下寸法）を小さくできる。すなわち、建具の見込み方向において換気経路が形成される位置では、上枠と、上枠の下方に配置された固定障子とが上下方向に並び、上枠を第１上枠および第２上枠の２つの部材で構成する必要が無く、上枠の見付け寸法を小さくできる。
【０００８】
本発明の建具において、前記固定障子は、上框、下框、左右の縦框にパネル材を取り付けて構成され、前記上枠には、前記固定障子と前記左右の縦枠の一方の縦枠との間に配置される上枠アタッチメントが取り付けられ、前記上枠は、前記上框および前記上枠アタッチメントの浴室側に配置された垂下片部を備え、前記垂下片部と、前記上框および前記上枠アタッチメントによって前記可動障子を案内する溝状の上レール部が構成され、前記換気経路の一部は、前記垂下片部および前記上框間の隙間で構成されていることが好ましい。
【０００９】
このような構成によれば、上枠アタッチメントおよび上框と、これらの浴室側に配置された上枠の垂下片部との間に形成される凹溝状の上レール部で可動障子の上框部分を案内できる。そして、この可動障子が案内される上レール部の一部は換気経路としても兼用されるため、上枠の見込み寸法を小さくできる。
【００１０】
本発明の建具において、前記固定障子は、上框、下框、左右の縦框にパネル材を取り付けて構成され、前記上枠には、前記固定障子と前記左右の縦枠の一方の縦枠との間に配置される上枠アタッチメントが取り付けられ、前記上枠は、前記上框および前記上枠アタッチメントの脱衣室側に配置された見付け片部を備え、前記見付け片部と、前記上框および前記上枠アタッチメントによって前記可動障子を案内する溝状の上レール部が構成され、前記換気経路の一部は、前記見付け片部および前記上框間の隙間で構成されていることが好ましい。
【００１１】
このような構成によれば、上枠アタッチメントおよび上框と、これらの脱衣室側に配置された上枠の見付け片部との間に形成される凹溝状の上レール部で可動障子の上框部分を案内できる。そして、この可動障子が案内される上レール部の一部は換気経路としても兼用されるため、上枠の見込み寸法を小さくできる。
【００１２】
本発明の建具において、前記固定障子は、上框、下框、左右の縦框にパネル材を取り付けて構成され、前記上枠は、見込み片部と、前記見込み片部の脱衣室側端部から下方に延長された見付け片部とを備え、前記見付け片部の下端縁は、前記上框の下面と同一高さ位置、または、前記上框の下面よりも下方の高さ位置に設定されていることが好ましい。
【００１３】
このような構成によれば、前記見付け片部の下端縁が、上框の下面と同一高さ位置、または、前記上框の下面よりも下方の高さ位置に設定されるため、脱衣室側から上枠部分を視認した際に、上框は前記見付け片部によって視認し難くできる。このため、建具の上枠部分における脱衣室側からの意匠性も向上できる。
さらに、換気経路の脱衣室側開口が下向きに形成されるため、汚れも溜まりにくくでき、換気経路は利用者が直接視認し難いため、脱衣室側からの意匠性も向上できる。
【００１４】
本発明の建具において、前記固定障子は、上框、下框、左右の縦框にパネル材を取り付けて構成され、前記上枠は、見込み片部と、前記見込み片部の浴室側端部から下方に延長された垂下片部を備え、前記垂下片部の下端縁は、前記上框の下面と同一高さ位置、または、前記上框の下面よりも下方の高さ位置に設定され、前記換気経路の一部は、前記垂下片部および前記上框間の隙間で構成され、前記換気経路の浴室側開口は下向きに形成されていることが好ましい。
【００１５】
このような構成によれば、前記垂下片部の下端縁が、上框の下面と同一高さ位置、または、前記上框の下面よりも下方の高さ位置に設定されるため、浴室側から上枠部分を視認した際に、上框は前記垂下片部によって視認し難くできる。このため、建具の上枠部分における浴室側からの意匠性も向上できる。
さらに、換気経路の浴室側開口が下向きに形成されているので、浴室側に取り込む空気を下向きに流入させて固定障子に沿って浴室に導入することができ、固定障子の浴室面の乾きを促進できる。
また、換気経路の浴室側開口が下向きに形成されることで、浴室側から見た場合に換気経路が垂下片部によって覆われて、換気経路内への水の浸入を防止でき、汚れも溜まりにくくできる。さらに、換気経路は利用者が直接視認し難いため、浴室側からの意匠性も向上できる。
【００１６】
本発明の建具において、前記可動障子は、前記固定障子より浴室側の位置で、前記枠体の上枠および下枠に沿ってスライド移動可能に設けられ、前記弁部材は、前記上枠に一端側が回動自在に支持され、他端側が前記固定障子に当接して、前記換気経路を開閉することが好ましい。
このような構成によれば、可動障子の脱衣室側に形成される止水ラインを固定障子よりも浴室側の位置に形成できて止水処理を容易にできる。また、弁部材の一端側（上端側）を上枠に回動自在に取付け、他端側（下端側）を固定障子に当接して換気経路を開閉することができるので、弁部材の他端側は重力によって固定障子に当接して換気経路を閉鎖できる。また、浴室の換気扇を作動させることなどで浴室内の圧力が脱衣室内の圧力に対して負圧になることで、弁部材の他端側は固定障子から離れて換気経路を開放できる。
【発明の効果】
【００１７】
本発明の建具によれば、換気経路が形成される建具の上枠部分の見付け寸法を小さくできる。
【図面の簡単な説明】
【００１８】
【図１】本実施形態に係る浴室出入口用の建具を脱衣室側から見た正面図。
【図２】図１のII-II線で示す前記建具の横断面図。
【図３】図１のIII-III線で示す前記建具の縦断面図。
【図４】図１のIV-IV線で示す前記建具の縦断面図。
【図５】前記建具の換気経路の要部を示す斜視図。
【図６】前記建具の換気経路の要部を示す斜視図。
【図７】変形例に係る浴室出入口用の建具の上枠および可動障子の上部分を示す縦断面図。
【図８】変形例に係る浴室出入口用の建具の上枠および固定障子の上部分を示す縦断面図。
【図９】本発明の建具枠を利用した浴室ドアを示す縦断面図。
【発明を実施するための形態】
【００１９】
以下、本発明の実施形態に係る浴室出入り口用の建具としての片引き戸１を図面に基づいて説明する。
図１〜図４において、片引き戸１は、浴槽や浴室床（防水パン）、浴室壁等からなる浴室ユニットで構成された浴室と、この浴室に隣接して洗面台や洗濯パン等が設置される脱衣室との出入り口に用いられる建具である。
この片引き戸１は、枠体である建具枠２と、建具枠２の内部に片引き形式に開閉可能に支持された１枚の可動面材である可動障子４と、建具枠２の内部に固定された１枚の固定面材である固定障子６とを備えて構成されている。
【００２０】
［建具の概略構成］
建具枠２は、上枠２１、下枠２２および左右の縦枠２３，２４を枠組みして構成されている。
可動障子４は、上框４１、下框４２および左右の縦框４３，４４を枠組みした内部に、パネル４５を取り付けて構成されている。パネル４５には、可動障子４を開閉操作するためのハンドル４５１が固定されている。
固定障子６は、上框６１、下框６２および左右の縦框６３，６４を枠組みした内部に、パネル６５を嵌めこんで構成されている。
以下、建具枠２、可動障子４、固定障子６の構成を詳細に説明する。
【００２１】
［建具枠］
建具枠２の上枠２１は、図３，４に示すように、上枠２１の見込み方向にほぼ沿って配置された見込み片部２１１と、見込み片部２１１の浴室側端縁から上方に延長された見付け片部２１２と、見込み片部２１１の浴室側端縁から下方に延長された垂下片部２１３と、見込み片部２１１の脱衣室側端部から下方に延長された見付け片部２１４とを備えている。
【００２２】
垂下片部２１３および見付け片部２１４の下端縁の高さ位置は、略同じ高さ位置に設定されている。また、見付け片部２１４の下端には、脱衣室側に突出されさらに上方に折曲されて断面略Ｌ字状に形成された見切り片部２１５が連続して形成されている。見切り片部２１５は、石膏ボード等で構成されて脱衣室の壁材１１の下面に当接し、壁材１１の端面と上枠２１との隙間を脱衣室から視認できないように隠している。
また、見付け片部２１４の下端には、浴室側に突出する突起部２１６が形成されている。この突起部２１６は、後述する上枠アタッチメント２７を係止するために設けられている。
【００２３】
上枠２１において、垂下片部２１３および見込み片部２１１の接合部分には中空部（ホロー部）が形成され、後述するように、可動障子４の溝状レール部２８として機能する垂下片部２１３の剛性を向上させている。
見込み片部２１１には、後述する弁部材２５を回動自在に軸支する軸受部２１７が形成されている。
このように構成された上枠２１は、見込み片部２１１にねじ込まれたネジ１８で躯体に固定されている。
【００２４】
上枠２１において、固定障子６の召合せ框である縦框６４と、縦枠２３との間には、図３に示す上枠アタッチメント２７が配置されている。上枠アタッチメント２７は、上枠２１の垂下片部２１３に対向する対向片部２７１と、対向片部２７１の下端部から脱衣室側に延出された延出片部２７２とを備えて断面略Ｌ字状に形成されている。
対向片部２７１には、対向片部２７１の全長に渡って溝が形成され、この溝には、一対のリップシール部を有する気密材２７３が装着されている。
上枠アタッチメント２７の延出片部２７２の脱衣室側端部は前記突起部２１６で支持され、対向片部２７１の上端は見込み片部２１１に当接している。この上枠アタッチメント２７は、図示略のネジによって縦枠２３および縦框６４に固定されている。
【００２５】
下枠２２は、図３、図４に示すように、脱衣室の床材１２上に載置されて固定される固定片部２２３と、可動障子４を案内する下レール部２２４と、気密材２２７が装着される溝部とを備えている。溝部には、固定障子６の下框６２の突起も係合している。
固定片部２２３の表面には、下枠２２の全長に渡って連続する溝が形成され、この溝部には下枠２２を床材１２に固定するネジ１７が設けられている。ネジ１７は、溝に装着されたカバー２２９で覆われている被覆している。
【００２６】
縦枠２３は、図２に示すように、可動障子４の戸先側の縦框４３に対向して配置されている。この縦枠２３は、ユニットバスの構造体（躯体）にネジ１５で固定され、柱等の躯体７にネジ１６で固定され、可動障子４の縦框４３に当接する気密材２３６が装着されている。また、縦枠２３は、壁材１３が当接される見付け面２３３と、見付け面２３３および壁材１３間を隠す見切り片部２３５とを備える。
縦枠２４は、固定障子６の戸先側の縦框６３に対向して配置されている。この縦枠２４は、縦枠２３と同様に、ユニットバスの壁および柱等の躯体７にネジ１５，１６で固定されている。また、縦枠２４は、壁材１４が当接される見付け面２４３と、見付け面２４３および壁材１４間を隠す見切り片部２４５とを備える。
縦枠２３、２４の内周面２３４、２４４には、上下方向に連続する凹溝が形成され、この凹溝の底辺にはネジ１６を挿通可能な孔が開口されている。この凹溝には、前記開口を塞ぐカバー２３９、２４９が全長に渡って取り付けられている。
【００２７】
［固定障子］
固定障子６の上框６１、下框６２は、図４に示すように、中空部６１１，６２１と、パネル６５を保持する保持溝部６１３、６２３とを備えている。
戸先框である縦框６３は、図２に示すように、コ字状に折曲された本体部６３１と、パネル６５を保持する保持溝部６３３とを備えている。
召合せ框である縦框６４は、中空部６４１と、パネル６５を保持する保持溝部６４３とを備えている。
【００２８】
保持溝部６１３、６２３、６３３、６４３は、上框６１、下框６２、縦框６３、縦框６４の見込み方向の中心位置よりも浴室側に形成され、保持溝部６１３、６２３、６３３、６４３で保持されるパネル６５も固定障子６の見込み方向の中心位置に対して、浴室側にオフセットして配置されている。
【００２９】
図４に示すように、固定障子６の上框６１において、上枠２１の垂下片部２１３に対向する対向片部６１２には、上框６１の全長に渡って溝が形成され、この溝には一対のリップシール部を有する気密材６１４が装着されている。なお、気密材６１４は、可動障子４を閉じた際に可動障子４に当接するものであるため、必ずしも設ける必要は無い。
上枠２１の全長に渡って形成されている垂下片部２１３と、垂下片部２１３に対向する前記上枠アタッチメント２７の対向片部２７１および上框６１の対向片部６１２とによって、可動障子４を案内する溝状の上レール部である溝状レール部２８が構成されている。
また、上框６１の中空部６１１には傾斜面６１１Ａが形成されている。
【００３０】
図２に示すように、固定障子６の縦框６４において、浴室側の面には縦框６４の全長に渡って溝が形成され、この溝には一対のリップシール部を有する気密材６４４が装着されている。
さらに、図４に示すように、固定障子６の縦框６３、６４の高さ寸法は、予め枠組みされた建具枠２に固定障子６を組み込むことができるように、上枠２１および下枠２２間の高さ寸法よりも短い寸法とされている。このため、固定障子６を建具枠２内に組み込んだ際に、縦框６３、６４の上端と、上枠２１との間には隙間が生じ、この隙間を埋めるためのスペーサ６６が配置されている。また、縦框６４の浴室側の端縁は、上框６１の浴室側端縁と略同一面の位置に配置されている。
固定障子６は、縦框６３がネジ６６１，６６２やブラケット６７を用いて縦枠２４に固定されている。
【００３１】
［可動障子］
図３に示すように、可動障子４の上框４１、下框４２は、中空部４１１，４２１と、パネル４５を保持する保持溝部４１３、４２３とを備えている。同様に、図２に示すように、戸先框である縦框４３と、召合せ框である縦框４４は、中空部４３１，４４１と、パネル４５を保持する保持溝部４３３、４４３とを備えている。
保持溝部４１３、４２３、４３３、４４３は、中空部４１１、４２１、４３１、４４１の浴室側に配置されており、保持溝部４１３、４２３、４３３、４４３で保持されるパネル４５も可動障子４の見込み方向の中心位置に対して、浴室側にオフセットして配置されている。
【００３２】
下框４２には、下レール部２２４で案内される戸車を有する戸車ユニット４７と、下枠２２に接触する気密材４２６が取り付けられている。なお、この気密材４２６は必須のものではなく、気密材４２６を取り付けないように構成してもよい。
【００３３】
このような可動障子４は、上枠２１の溝状レール部２８に上框４１部分が案内され、下枠２２の下レール部２２４に下框４２の戸車が案内され、固定障子６の浴室側の位置で、上枠２１および下枠２２に沿ってスライド開閉できるようになっている。このため、開放状態の可動障子４は、固定障子６の浴室側に配置される。
また、可動障子４の閉鎖状態において、固定障子６の縦框６４に取り付けられた気密材６４４に、可動障子４の縦框４４の脱衣室側の面が当接する。また、縦枠２３に取り付けられた気密材２３６に、可動障子４の縦框４３の脱衣室側の面が当接する。さらに、上枠アタッチメント２７に取り付けられた気密材２７３に、可動障子４の上框４１の脱衣室側の面が当接し、下枠２２に取り付けられた気密材２２７に、可動障子４の下框４２の脱衣室側の面が当接する。
これらの気密材２２７、２３６、２７３、６４４が可動障子４の各框４１〜４４に当接することで、可動障子４を閉めた際の浴室と脱衣室との間の止水性が確保される。
【００３４】
［換気経路］
次に、建具枠２における換気経路３０の構成について、図４、図５，図６も参照して詳しく説明する。
上枠２１と、固定障子６の上框６１とは、上下方向に離れて配置されており、この上枠２１および上框６１間の隙間部分を介して、浴室と脱衣室とを連通させる換気経路３０が形成されている。
換気経路３０は、脱衣室側開口３１と、脱衣室側開口３１から上方に連続する脱衣室側通路３２と、脱衣室側通路３２から横方向に連続する連通通路３３と、連通通路３３から下方に連続する浴室側通路３４と、浴室側開口３５とを備えて構成されている。
【００３５】
脱衣室側開口３１は、上枠２１の見付け片部２１４の下端（突起部２１６）と、上框６１の脱衣室側の下端縁との間に形成されている。
脱衣室側通路３２は、見付け片部２１４と、上框６１との間に形成され、連通通路３３は、見込み片部２１１と、上框６１との間に形成されている。なお、上框６１には傾斜面６１１Ａが形成されているため、脱衣室側通路３２から連通通路３３に流れる空気は、スムーズに方向が変化するようになっている。
浴室側通路３４は、上方が見込み片部２１１で区画され、浴室側が垂下片部２１３で区画され、脱衣室側が上框６１の対向片部６１２で区画されている。この浴室側通路３４は、可動障子４が溝状レール部２８で案内される空間と兼用されている。したがって、換気経路３０の一部は、固定障子６と上枠２１との間において、可動障子４が案内されて移動される空間で構成されている。
浴室側開口３５は、上枠２１の垂下片部２１３の下端と、上框６１の浴室側の下端縁との間に形成されている。
なお、換気経路３０は、固定障子６と上枠２１との間に形成されるため、特に、脱衣室側開口３１、脱衣室側通路３２、連通通路３３は、縦框６３および縦框６４間に形成されている。
【００３６】
見込み片部２１１の軸受部２１７には、固定障子６の上框６１の略全長に対応して設けられて、換気経路３０を開閉可能な弁部材２５の一端側が取り付けられている。すなわち、弁部材２５は、連通通路３３と浴室側通路３４との連通部を開閉する。
この弁部材２５は、脱衣室と浴室との気圧差によって開閉するものであり、脱衣室と浴室との気圧差がない場合には、図４に二点鎖線で示すように、弁部材２５の他端側に設けられたモヘア２５１が上框６１の対向片部６１２に当接して換気経路３０が閉鎖されるように構成されている。なお、固定障子６に当接して換気経路３０を開閉する弁部材２５の他端側はモヘア２５１に限らず、シート材などを弁部材２５の他端側の当接面に貼ってもよいし、弁部材２５の他端側を直接、固定障子６に当接させてもよい。
一方、可動障子４を閉じた状態で浴室の換気扇等を駆動して浴室の気圧が下がった場合には、図４に実線で示すように、弁部材２５の他端側である下端部が浴室側に回動して換気経路３０が開放され、脱衣室側開口３１から換気経路３０内部に流入した空気が脱衣室側通路３２、連通通路３３を通り、さらに浴室側通路３４において垂下片部２１３に沿って下降し、浴室側開口３５から浴室内部に供給され、これによって浴室の換気が行われるようになっている。
【００３７】
本発明は、上枠２１、下枠２２、左右の縦枠２３，２４を有する枠体（建具枠２）と、可動障子４と、固定障子６とを備え、浴室と脱衣室との出入り口に用いられる建具（片引き戸１）であって、前記可動障子４は、前記枠体の上枠２１および下枠２２に沿ってスライド移動可能に設けられ、前記固定障子６と前記上枠２１との間には、前記浴室と前記脱衣室とを連通させる換気経路３０と、前記換気経路３０を開閉する弁部材２５とが設けられ、換気経路３０の一部は、前記固定障子６と前記上枠２１との間において、前記可動障子４が移動される空間で構成されていることを特徴とする。このような構成の建具によれば、以下のような効果がある。
建具である建具枠２の上枠２１と、固定障子６との間に換気経路３０を形成しているので、建具の上枠２１部分の見付け寸法（上下寸法）を小さくできる。すなわち、建具の見込み方向において換気経路が形成される位置では、上枠２１と、上枠２１の下方に配置された固定障子６とが上下方向に並び、上枠２１を第１上枠および第２上枠の２つの部材で構成する必要が無く、前記可動障子４は、固定障子６の浴室側の位置でスライド移動可能に設けられているので、上枠２１の見込み寸法を小さくできる。
また、部材数が少なくなるため、建具の上枠２１部分において、各部材の端縁による横ラインが少なくなり、意匠性を向上することもできる。
さらに、建具が取り付けられる浴室と脱衣室との出入り口の開口高さ寸法が標準の寸法に比べて小さい場合には、可動障子４を開いた際の有効開口の高さ寸法を確保する必要があるため、上枠２１部分の見付け寸法を小さくする必要があり、前記特許文献１の建具の採用が困難であった。このため、可動障子４にガラリ等の換気経路を有する換気框を用いる必要があった。
これに対し、本発明によれば、上枠２１部分の見付け寸法を小さくできるので、浴室の出入り口の高さ寸法が標準寸法に比べて小さい場合でも設けることができ、有効開口として必要な高さ寸法も確保できる。したがって、可動障子４に換気経路を設ける必要が無く、シンプルでデザイン性の高い建具とすることができる。
また、換気経路３０を開閉する弁部材２５を設けたので、浴室内の蒸気が脱衣室側に流出したり、あるいは脱衣室内の冷気が浴室内に流入することを防止できる。さらに、浴室の換気扇を作動させている場合に弁部材２５を開いて換気経路３０を開放することで、換気効率を向上できる。
ここで、弁部材２５は、重力によって他端側が固定障子６に当接する閉塞側に回動し、浴室の換気扇を作動させることなどで浴室内の圧力が脱衣室内の圧力に対して負圧になることで他端側が固定障子６から離れる開放側に回動するものが好ましい。なお、弁部材２５としては、手動操作で回動するものや、適宜な駆動手段で回動するものでもよい。
【００３８】
より具体的には以下の通りである。片引き戸１は、建具枠２の上枠２１と、固定障子６の上框６１との間に換気経路３０を形成しているので、片引き戸１の上枠２１部分の見付け寸法（上下寸法）を小さくできる。すなわち、図４に示すように、弁部材２５で換気経路３０が開閉される位置では、上枠２１、弁部材２５（換気経路３０）、上框６１の３部材を配置することで換気経路３０を形成できる。このため、従来のように、第１上枠、弁部材、第２上枠、可動障子の上框の４部材を配置する場合に比べて、部材数が少なくなり、片引き戸１の上枠部分の見付け寸法を小さくすることができる。
このため、浴室出入り口用の開口高さ寸法が標準に比べて小さい場合でも、片引き戸１を取り付けることができる。したがって、上枠部分ではなく、可動障子４にガラリ等を形成して換気経路を設ける必要が無く、シンプルでデザイン性の高い片引き戸１とすることができる。
その上、片引き戸１の上枠部分の部材数が少なくなるため、各部材の端縁等による横ラインが少なくなり、この点でも意匠性を向上できる。
【００３９】
また、換気経路３０を開閉する弁部材２５は、浴室の換気扇を作動させることで浴室側が負圧になれば自動的に換気経路３０を開放し、浴室の換気扇を停止している場合には重力によって閉塞側に回動して自動的に換気経路３０を閉塞できる。このため、利用者が弁部材２５の開閉操作を行う必要が無く、利便性が高い。
さらに、利用者が入浴中など換気扇を停止している場合には、弁部材２５で換気経路３０が閉塞されるため、浴室内の蒸気が脱衣室側に流出したり、脱衣室内の冷気が浴室内に流入することを防止できる。
また、入浴後に浴室を乾燥させるために、可動障子４を閉めて換気扇を作動した場合には、弁部材２５が自動的に開いて換気経路３０を開放することで、換気効率を向上できる。
【００４０】
換気経路３０の浴室側通路３４、浴室側開口３５は下向きに形成されているので、浴室側に取り込む空気を下向きに流入させて固定障子６に沿って浴室に導入することができ、固定障子６の浴室面の乾きを促進できる。
さらに、換気経路３０の浴室側開口３５が下向きに形成されることで、浴室側から見た場合に換気経路３０が垂下片部２１３によって覆われて、換気経路３０内への水の浸入を防止でき、汚れも溜まりにくくできる。さらに、換気経路３０は利用者が直接視認し難いため、浴室側からの意匠性も向上できる。
【００４１】
垂下片部２１３は、浴室側通路３４を区画するだけでなく、可動障子４を案内する溝状レール部２８としても兼用されるので、浴室側通路３４部分を可動障子４のガイド溝と換気経路３０とで兼用でき、この点でも上枠２１の見込み寸法を小さくできる。
さらに、浴室側通路３４は可動障子４が案内されるため、浴室側通路３４の見込み寸法を比較的大きくできる。このため、弁部材２５を浴室側通路３４側に回動させた場合に、弁部材２５が垂下片部２１３に当接することを防止できる。
また、弁部材２５の高さ寸法は、浴室側通路３４の見込み寸法に応じて設定できるため、連通通路３３の高さ寸法を比較的大きくでき、十分な換気量を確保できる。例えば、可動障子４を案内する上レール部を溝状レール部２８ではなく、下レール部２２４と同様のレール状に形成した場合、このレールは可動障子４の見込み寸法の中間位置に配置され、弁部材２５に対し、垂下片部２１３よりも近接することになる。このため、弁部材２５の高さ寸法を前記実施形態よりも小さくする必要がある。これに対し、前記実施形態のように溝状レール部２８を形成すれば、弁部材２５も比較的大きくでき、連通通路３３の高さ寸法も確保できる。
【００４２】
上枠２１の見付け片部２１４の下端縁が、上框６１の下面と同一高さ位置に設定されているので、脱衣室側から上枠２１部分を視認した際に、上框６１の見付部は見付け片部２１４で覆われるため視認し難くできる。このため、片引き戸１の上枠２１部分における脱衣室側からの意匠性も向上できる。
さらに、換気経路３０の脱衣室側開口３１が下向きに形成されるため、汚れも溜まりにくくでき、換気経路３０は利用者が直接視認し難いため、脱衣室側からの意匠性も向上できる。
【００４３】
上枠２１の垂下片部２１３の下端縁が、上框６１の下面と同一高さ位置に設定されているので、浴室側から上枠２１部分を視認した際に、上框６１の見付部や弁部材２５は垂下片部２１３で覆われるため視認し難くできる。このため、片引き戸１の上枠２１部分における浴室側からの意匠性も向上できる。
【００４４】
さらに、可動障子４の上框４１の下面と、上枠アタッチメント２７の延出片部２７２の下面とがほぼ同一面とされているので、上框４１の脱衣室側を上枠アタッチメント２７で被覆できる。
また、可動障子４の縦框４３の内面（縦框４４に対向する面）と、縦枠２３の内周面２３４とがほぼ同一面とされているので、縦框４３の脱衣室側を縦枠２３で被覆できる。
同様に、固定障子６の縦框６３の内面（縦框６４に対向する面）と、縦枠２４の内周面２４４とがほぼ同一面とされているので、縦框６３の脱衣室側を縦枠２４で被覆できる。
これらにより、可動障子４を閉めた状態では、各障子４，６の戸先框（縦框４３、縦框６３）および上框４１，６１は脱衣室側から視認され難く、建具枠２で隠された状態となるため、片引き戸１において框部分が目立たない、シンプルな意匠を実現できる。
【００４５】
その上、障子４の縦框４４と固定障子６の縦框６４とは見込み方向に重なっており、脱衣室側正面からは縦框４４が縦框６４で隠され、浴室側正面からは縦框６４が縦框４４で隠されるので、片引き戸１の召合せ框部分もシンプルなデザインにでき、片引き戸１の意匠性をより向上できる。
【００４６】
また、建具枠２の上枠２１、縦枠２３、２４の脱衣室側は、壁材１１、１３、１４で覆われており、見切り片部２１５、２３５、２４５部分のみが露出するだけである。
さらに、建具枠２の下枠２２の脱衣室側も床材１２で覆われており、固定片部２２３部分が露出するだけである。
したがって、脱衣室側から片引き戸１を見た際に、各枠も殆ど露出しないため、片引き戸１の意匠性をより向上できる。
その上、建具枠２の躯体に固定するネジ１６、１７、１８は、各壁材１１、１３、１４の表面よりも奥まった位置に配置されており、脱衣室側から片引き戸１を見た際に視認できない位置に配置されているので、片引き戸１の意匠性をより向上できる。
【００４７】
本実施形態の建具枠２および可動障子４は、図９に示すように、浴室ドアの建具枠２Ａ、可動障子４Ａとしても利用できる。すなわち、可動障子４は、戸車ユニット４７の代わりにピポットヒンジや丁番によって開閉自在に建具枠２Ａに取り付けることで浴室ドアの可動障子４Ａとして利用できる。また、建具枠２は、可動障子４Ａを浴室側に開く際に干渉する部分を削除することで、具体的には、上枠２１の垂下片部２１３の下端側と、下枠２２の下レール部２２４とを削除することで、浴室ドアの建具枠２Ａとして利用できる。したがって、片引き戸１や浴室ドア等の浴室出入り口用の建具において、枠材や框材を共通して利用できる。
【００４８】
［変形例］
本発明は、以上の実施形態で説明した構成のものに限定されず、本発明の目的を達成できる範囲での変形例は、本発明に含まれる。
例えば、可動障子４および固定障子６の見込み方向の配置位置は、可動障子４を浴室側に配置し、固定障子６を脱衣室側に配置するものに限らず、図７、８に示す片引き戸１Ｂのように、可動障子４を脱衣室側に配置し、固定障子６を浴室側に配置してもよい。片引き戸１Ｂの建具枠２Ｂの上枠２１Ｂは、見込み片部２１１Ｂ、垂下片部２１３Ｂ、見付け片部２１４Ｂを備えている。可動障子４は、上枠２１Ｂの見付け片部２１４Ｂに沿って移動可能に配置され、可動障子４の浴室側に、上枠アタッチメント２７Ｂおよび固定障子６が配置されている。従って、上枠２１Ｂにおいて、可動障子４を案内する溝状レール部２８は、上枠アタッチメント２７Ｂと見付け片部２１４Ｂとの間、および、固定障子６の上框６１と見付け片部２１４Ｂとの間に連続して形成されている。したがって、換気経路３０の一部は、固定障子６と上枠２１Ｂとの間において、可動障子４が案内されて移動される空間で構成されている。
なお、片引き戸１Ｂも、片引き戸１と同じ見込み寸法に設定することができる。また、片引き戸１、１Ｂにおいて、止水ラインは可動障子４の脱衣室側に配置されるので、可動障子４を固定障子６の浴室側に配置した片引き戸１のほうが、片引き戸１Ｂに比べて止水処理を容易にできる。
【００４９】
また、前記実施形態では、浴室出入り口用の建具として、片引き戸１を例示して説明したが、本発明の建具は、１枚の面材（障子）を有したものに限らず、２枚以上の面材が片引き形式に開閉自在に支持されたものでもよく、２枚の面材が各々逆方向に片引き形式に支持されて左右両側に固定障子６が設けられた引き分け開放形式のものでもよい。
【００５０】
固定障子６は、工場においてユニット化されて施工現場に運ばれて建具枠２に固定されるものでもよいし、施工現場において組み立てられるものでもよい。さらに、固定障子６は、上框６１、下框６２、縦框６３、６４を枠組みしてパネル６５を組み込むものに限定されず、壁パネルのように框材を備えずに予めパネル状とされたものを用いてもよい。また、固定障子６は、移動しない非可動部であればよいため、建具として引込み戸を用いた場合には袖部分で構成してもよい。
【００５１】
見付け片部２１４、垂下片部２１３の下端縁は、上框６１の下面と同一高さ位置のものに限定されない。例えば、見付け片部２１４や垂下片部２１３の下端縁を、上框６１の下面よりも下方の高さ位置まで延長してもよい。
また、可動障子４を案内する上レール部は凹溝状に形成されるものに限定されず、１本のレールで案内するものでもよい。この場合、可動障子４を案内するレールと、固定障子６の上框６１との間に形成される空間は、可動障子４の上框４１が案内されて移動される空間となり、この空間は換気経路の一部として機能する。また、可動障子４を案内するレールに開口を形成し、レールと垂下片部２１３との間の空間や、レールと見付け片部２１４Ｂとの間の空間を換気経路の一部としてもよい。
【符号の説明】
【００５２】
１、１Ｂ…建具である片引き戸、２…枠体である建具枠、４…可動障子、６…固定障子、２１、２１Ｂ…上枠、２２…下枠、２３…縦枠、２４…縦枠、２５…弁部材、２７、２７Ｂ…上枠アタッチメント、２８…上レール部である溝状レール部、３０…換気経路、３１…脱衣室側開口、３２…脱衣室側通路、３３…連通通路、３４…浴室側通路、３５…浴室側開口、４１…上框、４２…下框、４３…縦框、４４…縦框、６１…上框、６２…下框、６３…縦框、６４…縦框、２１１、２１１Ｂ…見込み片部、２１３、２１３Ｂ…垂下片部、２１４、２１４Ｂ…見付け片部、２２４…下レール部。
【図１】
0006419014.tif 000002
【図２】
0006419014.tif 000003
【図３】
0006419014.tif 000004
【図４】
0006419014.tif 000005
【図５】
0006419014.tif 000006
【図６】
0006419014.tif 000007
【図７】
0006419014.tif 000008
【図８】
0006419014.tif 000009
【図９】
0006419014.tif 000010